(57)【要約】【課題】  時分割多重方式におけるフレームデータにおける同期符号の挿入を伝送品質に応じて動的に行うことで、伝送品質の改善もしくは維持および伝送速度の高速化を図る。【解決手段】  時分割多重方式に基づくタイムスロットを用いて携帯端末装置１４０と無線通信を行う本発明の基地局１３０は、フレーム中の複数のタイムスロットを連結した連結スロットを携帯端末装置１４０に割り当てるスロット連結部３１０と、携帯端末装置との無線通信におけるフレームデータ内の異なる領域の伝送品質の差である伝送偏差を検出する伝送品質検出部３１２と、伝送偏差が、変調方式毎に定められた伝送偏差上限値を超えるとフレームデータに同期符号を挿入し、伝送偏差下限値を下回るとフレームデータから同期符号を抜出する偏差調整部３１６と、を備えることを特徴としている。【選択図】    図４
2008135889.tif 000002
【特許請求の範囲】
【請求項１】
時分割多重方式に基づくタイムスロットを用いて携帯端末装置と無線通信を行う基地局であって、
フレーム中の複数のタイムスロットを連結した連結スロットを前記携帯端末装置に割り当てるスロット連結部と、
前記携帯端末装置との無線通信におけるフレームデータ内の異なる領域の伝送品質の差である伝送偏差を検出する伝送品質検出部と、
前記伝送偏差が、変調方式毎に定められた伝送偏差上限値を超えるとフレームデータに同期符号を挿入し、伝送偏差下限値を下回るとフレームデータから同期符号を抜出する偏差調整部と、
を備えることを特徴とする、基地局。
【請求項２】
前記偏差調整部が同期符号を挿入した後、前記伝送品質検出部に再度伝送偏差を検出させ、伝送偏差が所定閾値以上改善されていなければ前記挿入した同期符号を抜出する偏差再調整部をさらに備えることを特徴とする、請求項１に記載の基地局。
【請求項３】
前記偏差調整部は、前記同期符号をタイムスロット単位の先頭に挿入することを特徴とする、請求項１または２に記載の基地局。
【請求項４】
前記フレームデータには、どのタイムスロットに同期符号が挿入されているかを示す同期情報領域が設けられ、
前記偏差調整部は、前記同期情報領域を参照して、予め定義された挿入順または抜出順に同期符号を挿入または抜出し、その結果を同期情報領域に反映することを特徴とする、請求項３に記載の基地局。
【請求項５】
前記伝送品質検出部は、前記フレームデータ全体の伝送品質も検出し、
前記伝送品質が、変調方式毎に定められた伝送品質下限値を下回るとより低い変調方式に切り換え、伝送品質上限値を超えるとより高い変調方式に切り換える変調切換部をさらに備えることを特徴とする、請求項１〜４のいずれかに記載の基地局。
【請求項６】
前記変調方式は、ＢＰＳＫ、ＱＰＳＫ、８ＰＳＫ、１６ＱＡＭ、３２ＱＡＭ、６４ＱＡＭ、１２８ＱＡＭ、２５６ＱＡＭの群から選択される２以上の方式であることを特徴とする、請求項５に記載の基地局。
【請求項７】
前記伝送品質はフレームエラーレートを基準にして判断することを特徴とする、請求項１〜６のいずれかに記載の基地局。
【請求項８】
前記伝送品質はエラーベクター振幅を基準にして判断することを特徴とする、請求項１〜６のいずれかに記載の基地局。
【請求項９】
前記伝送偏差は、連結したタイムスロットの前半部と後半部との伝送品質の差であることを特徴とする、請求項１〜８のいずれかに記載の基地局。
【請求項１０】
時分割多重方式に基づくタイムスロットを用いて携帯端末装置と無線通信を行う基地局で実行される伝送品質補償方法であって、
フレーム中の複数のタイムスロットを連結した連結スロットを前記携帯端末装置に割り当てるスロット連結ステップと、
前記携帯端末装置との無線通信における該フレームデータ内の異なる領域の伝送品質の差である伝送偏差を検出する伝送品質検出ステップと、
前記伝送偏差が、変調方式毎に定められた伝送偏差上限値を超えるとフレームデータに同期符号を挿入し、伝送偏差下限値を下回るとフレームデータから同期符号を抜出する偏差調整ステップと、
を含むことを特徴とする、伝送品質補償方法。
【発明の詳細な説明】
【技術分野】
【０００１】
本発明は、時分割多重方式に基づくタイムスロットを用いて携帯端末装置と無線通信を行う基地局、伝送品質補償方法に関する。
【背景技術】
【０００２】
携帯電話等の携帯端末装置とその通信対象である基地局には、フレームを時分割した複数のタイムスロットをそれぞれチャネルに割り当てて通信を行う時分割多重方式（ＴＤＭＡ：Ｔｉｍｅ  Ｄｉｖｉｓｉｏｎ  Ｍｕｌｔｉｐｌｅ  Ａｃｃｅｓｓ）が採用されている。時分割多重方式では、データがフレームに分割され、さらにそのフレーム分のデータ（フレームデータ）が１タイムスロット分のパケットに変換され、このパケット単位で送受信が実行される。
【０００３】
このような時分割多重方式を用いた無線通信では、反射等の相異する伝送経路を通じた位相差による干渉（フェージング）により、所望する受信レベルが得られないことがある。そこで、上記フレームデータ中に複数のパイロットシンボルを設け、各パイロットシンボルを復調してフェージング歪を推定し、情報データを補償する技術が知られている（例えば、特許文献１）。かかる技術を用いることで、無線通信装置はフェージング等の弊害を低減することができる。
【０００４】
また、フェージング等により伝送品質、例えば、フレームエラーレート（ＦＥＲ：Ｆｒａｍｅ  Ｅｒｒｏｒ  Ｒａｔｅ）が悪化した場合に、携帯端末装置との変調方式を切り換え（適応変調）伝送速度を下げることで通信を継続する技術も知られている。このような変調方式切換の技術では、フレームエラーレートの所定の閾値との比較のみによって変調方式が切り換わるので、切換頻度が不必要に多いという問題があった。
【特許文献１】特開２００２−１１１７５６号公報
【発明の開示】
【発明が解決しようとする課題】
【０００５】
時分割多重方式では、一つの基地局における複数のチャネルをそれぞれ別体の携帯端末装置に割り当てることができ、一方では、このような複数のチャネルを連結させて、その連結されたタイムスロット個数分高速伝送を遂行することも可能である。
【０００６】
このようなスロット連結では、フレームデータが長くなるので、その途中でフェージング等により伝送品質が劣化する場合がある。かかる伝送品質の劣化によって情報が欠落するのを防止するため、例えば、フレームデータの中程に同期符号（ユニークワード）を設け、ペイロード領域の情報を同期させることも可能である。このとき、基地局からフレームデータを受信した携帯端末装置は、かかる同期符号を検出してデータ同期をとり、その後のペイロードを抽出する。
【０００７】
しかし、このような同期符号を機械的にフレームデータに付すだけでは、伝送速度が安定している場合においても所定のデータ領域を占有してしまい、却って伝送速度を落とすことになりかねない。従って、単に同期符号を採用するだけでは伝送品質を確実に向上することは困難である。
【０００８】
そこで、本願発明者は、フレームデータに同期符号を挿入すると伝送品質が改善する場合とそうでない場合があり、それは携帯端末装置と基地局との通信環境に応じて変化することに着目し、同期符号を伝送品質に応じて動的（ダイナミック）に挿入することで伝送品質の改善が可能なことを見出して本発明を完成するに至った。
【０００９】
本発明は、従来の無線通信が有する上記問題点に鑑みてなされたものであり、本発明の目的は、同期符号の挿入を伝送品質に応じて動的に行うことで、伝送品質の改善もしくは維持および伝送速度の高速化を図ることが可能な、新規かつ改良された基地局、伝送品質補償方法を提供することである。
【課題を解決するための手段】
【００１０】
上記課題を解決するために、本発明のある観点によれば、時分割多重方式に基づくタイムスロットを用いて携帯端末装置と無線通信を行う基地局であって、フレーム中の複数のタイムスロットを連結した連結スロットを携帯端末装置に割り当てるスロット連結部と、携帯端末装置との無線通信におけるフレームデータ内の異なる領域の伝送品質の差である伝送偏差を検出する伝送品質検出部と、伝送偏差が、変調方式毎に定められた伝送偏差上限値を超えるとフレームデータに同期符号を挿入し、伝送偏差下限値を下回るとフレームデータから同期符号を抜出する偏差調整部と、を備えることを特徴とする、基地局が提供される。
【００１１】
タイムスロットを連結するとフレームデータが長くなり、その分フレーム中の通信実時間も長くなる。そして、フェージング等の影響によりフレームデータ内でも位相差が生じ、伝送品質が偏って伝送偏差が大きくなる。かかる伝送偏差の増加は、フレームデータの途中に同期符号を追加挿入してその同期符号以降の同期をとることで改善できる。このような同期符号の挿入を伝送偏差に応じて動的に行うことで、伝送品質の改善もしくは維持および伝送速度の高速化を図ることが可能となる。
【００１２】
偏差調整部が同期符号を挿入した後、伝送品質検出部に再度伝送偏差を検出させ、伝送偏差が所定閾値以上改善されていなければ挿入した同期符号を抜出する偏差再調整部をさらに備えるとしてもよい。
【００１３】
携帯端末装置と基地局との通信環境によっては、同期符号を追加挿入しても伝送偏差が所定閾値以上改善されない場合がある。そのときは、挿入した同期符号を再度抜出することでフレームデータのペイロード領域を有効活用させることができる。
【００１４】
偏差調整部は、同期符号をタイムスロット単位の先頭に挿入してもよい。同期符号の挿入箇所をある程度限定することで同期符号の挿入処理を規則的にすることができ、安定した伝送品質の改善、維持を図ることができる。
【００１５】
フレームデータには、どのタイムスロットに同期符号が挿入されているかを示す同期情報領域が設けられ、偏差調整部は、同期情報領域を参照して、予め定義された挿入順または抜出順に同期符号を挿入または抜出し、その結果を同期情報領域に反映することができる。
【００１６】
同期符号は、フレームデータ全体の伝送品質を均一に保つため均等に配置するのが望ましい。例えば、４タイムスロット長のフレームデータに同期符号を追加する場合、１タイムスロットには予め同期符号が固定されているので、３スロット目、４スロット目、２スロット目といった順に挿入していく。従って、偏差調整部は、どこのタイムスロットに同期符号があるかのを同期情報領域から参照し、予め定義された挿入順に従って次の挿入箇所に同期符号を挿入する。
【００１７】
伝送品質検出部は、フレームデータ全体の伝送品質も検出し、伝送品質が、変調方式毎に定められた伝送品質下限値を下回るとより低い変調方式に切り換え、伝送品質上限値を超えるとより高い変調方式に切り換える変調切換部をさらに備えてもよい。
【００１８】
上述した同期符号の動的挿入と適応変調とを協同させることで、より確実に伝送品質の改善もしくは維持および伝送速度の高速化を図ることができる。また、同一の変調方式内で、伝送品質を調整することが可能となるので、伝送品質が低下した場合においても変調方式を変更しないで伝送品質を改善することができ、無用な変調方式の切換を削減することが可能となる。
【００１９】
変調方式は、ＢＰＳＫ、ＱＰＳＫ、８ＰＳＫ、１６ＱＡＭ、３２ＱＡＭ、６４ＱＡＭ、１２８ＱＡＭ、２５６ＱＡＭの群から選択される２以上の方式であってもよい。
【００２０】
上記の変調方式は、伝送品質、特に伝送速度において、ＢＰＳＫ、ＱＰＳＫ、８ＰＳＫ、１６ＱＡＭ、３２ＱＡＭ、６４ＱＡＭ、１２８ＱＡＭ、２５６ＱＡＭの順に高くなる。従って、より低い変調方式への切り換えとは、例えばＱＰＳＫからＢＰＳＫへの切換を言い、より高い変調方式への切り換えとは、例えばＱＰＳＫから８ＰＳＫへの切換を言う。
【００２１】
伝送品質はフレームエラーレート（ＦＥＲ：Ｆｒａｍｅ  Ｅｒｒｏｒ  Ｒａｔｅ）またはエラーベクター振幅（ＥＶＭ：Ｅｒｒｏｒ  Ｖｅｃｔｏｒ  Ｍａｇｎｉｔｕｄｅ）を基準にして判断してもよい。
【００２２】
このようにフレームエラーレートやエラーベクター振幅を基準とした場合、数値が高いほど伝送品質は悪く、低いほど伝送品質が良いことになる。
【００２３】
伝送偏差は、連結したタイムスロットの前半部と後半部との伝送品質の差としてもよい。
【００２４】
上述したように、タイムスロットを連結してフレームデータが長くなると、フェージング等の影響によりフレームデータ内でも位相差が生じ、伝送品質が偏って伝送偏差が大きくなる。本発明では、フレームデータを前半部と後半部に分けてその伝送品質の差を伝送偏差として適切に導出している。
【００２５】
上記課題を解決するために、本発明の別の観点によれば、時分割多重方式に基づくタイムスロットを用いて携帯端末装置と無線通信を行う基地局で実行される伝送品質補償方法であって、フレーム中の複数のタイムスロットを連結した連結スロットを携帯端末装置に割り当てるスロット連結ステップと、携帯端末装置との無線通信におけるフレームデータ内の異なる領域の伝送品質の差である伝送偏差を検出する伝送品質検出ステップと、伝送偏差が、変調方式毎に定められた伝送偏差上限値を超えるとフレームデータに同期符号を挿入し、伝送偏差下限値を下回るとフレームデータから同期符号を抜出する偏差調整ステップと、を含むことを特徴とする、伝送品質補償方法が提供される。
【００２６】
上述した基地局における技術的思想に対応する構成要素やその説明は、当該伝送品質補償方法にも適用可能である。
【発明の効果】
【００２７】
以上説明したように本発明によれば、時分割多重方式に基づくタイムスロットを用いて携帯端末装置と無線通信を行う基地局において、伝送品質に応じて、フレームデータへの同期符号の挿入を動的に行うことで、伝送品質の改善もしくは維持および伝送速度の高速化を図ることが可能となる。
【発明を実施するための最良の形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
携帯電話やＰＨＳ（Ｐｅｒｓｏｎａｌ  Ｈａｎｄｙ  ｐｈｏｎｅ  Ｓｙｓｔｅｍ）端末等の携帯端末装置と基地局は、時分割多重方式により通信を行っている。時分割多重方式では、一つの基地局における複数のチャネルをそれぞれ別体の携帯端末装置に割り当てることができ、一方では、このような複数のチャネルを連結させて、その連結されたタイムスロット個数分高速伝送を遂行することも可能である。
【００３０】
図１は、スロット連結の構成を説明するためのタイミング図である。図１の（ａ）を参照すると、携帯端末装置と基地局との無線通信では、送受信されるデータが５ｍｓｅｃのフレーム単位（図中１フレーム）に分割され、さらにそのフレームは複数（ここでは８つ）のタイムスロット１０に分割される。そして、フレーム分のデータはタイムスロット分に変換され、８つのタイムスロット１０の１つを通じて送受信される。図中上側１２にあるタイムスロット１０は、下り（基地局から携帯端末装置へ）のタイムスロット１０であり、下側１４は、上り（携帯端末装置から基地局への）のタイムスロットである。従って、携帯端末装置と基地局は、斜線で示した下りと上りの計２つのタイムスロット１０を用いて無線通信を実行している。
【００３１】
スロット連結は、図１（ｂ）に示されるように、タイムスロット１０を複数連結して１つの連結スロット２０としている。例えば、上りデータはそのままで、下りデータのみ４つのタイムスロット１０を連結する。下りデータにおける１つのタイムスロット１０の伝送速度を３２ｋｂｐｓとした場合に、上記連結スロット２０では、その４倍の１２８ｋｂｐｓの高速伝送を行うことが可能となる。
【００３２】
しかし、上述したようにタイムスロット１０を連結すると、フレームデータが長くなり、その分通信実時間も長くなる。そして、フェージング等の影響によりフレームデータ内でも位相差が生じ、伝送品質が偏って伝送偏差が大きくなる。かかる伝送偏差の増加は、フレームデータの途中に同期符号を追加挿入してその同期符号以降の同期をとることで改善できる。
【００３３】
本実施形態では、このような同期符号の挿入を伝送偏差に応じて動的に行うことで、伝送品質の改善もしくは維持および伝送速度の高速化を図る。以下、本実施形態を遂行する無線通信システム１００の概略を説明し、その後で各構成要素に関して詳述する。
【００３４】
図２は、無線通信システム１００の概略的な構成を示したブロック図である。かかる無線通信システム１００は、中継サーバ１１０と、インターネットや専用回線等の通信網１２０と、基地局１３０と、携帯端末装置１４０と、他の携帯端末装置１５０とを含んで構成される。
【００３５】
上記無線通信システム１００では、携帯端末装置１４０を利用して他の携帯端末装置１５０に電話しようと試みた場合、ユーザは、自己の携帯端末装置１４０を操作して、無線通信可能領域にある基地局１３０と無線通信を確立し、通信網１２０、中継サーバ１１０、および、他の携帯端末装置１５０の無線通信可能領域にある基地局１３０を介して、通信相手の有する他の携帯端末装置１５０と音声通話を遂行する。
【００３６】
また、ユーザは、携帯端末装置１４０を、中継サーバ１１０を介して通信網１２０に接続し、インターネット等から様々なサービスを受けることができる。このとき、下りデータのタイムスロットが連結されるとデータの高速ダウンロードを実現することが可能となり、ユーザは快適な通信環境で当該無線通信システム１００を利用することができる。以下、無線通信システム１００における基地局１３０と、携帯端末装置１４０とを詳述する。
【００３７】
（基地局１３０）
図３は、基地局１３０のハードウェア構成を示した機能ブロック図である。基地局１３０は、基地局制御部２１０と、基地局メモリ２１２と、基地局無線部２１４を含んで構成される。
【００３８】
上記基地局制御部２１０は、中央処理装置を含む半導体集積回路により基地局１３０全体を管理および制御する。また、基地局制御部２１０は、基地局メモリ２１２のプログラムを用いて、携帯端末装置１４０同士間の通話もしくは通信を支援する。
【００３９】
上記基地局メモリ２１２は、ＲＯＭ、ＲＡＭ、Ｅ２ＰＲＯＭ、不揮発性ＲＡＭ、フラッシュメモリ、ＨＤＤ等で構成され、基地局制御部２１０で処理されるプログラムや、携帯端末装置１４０同士間で送受信されるデータを記憶する。
【００４０】
上記基地局無線部２１４は、携帯端末装置１４０と携帯電話網に基づく双方向の無線通信を行う。特に本実施形態では、時分割多重方式が採用されている。
【００４１】
以上のような基地局１３０のハードウェア上で遂行される機能および動作を詳述する。
【００４２】
図４は、基地局１３０の概略的な機能を示した機能ブロック図である。基地局１３０の基地局制御部２１０は、基地局メモリ２１２のプログラムを用いて、スロット連結部３１０と、伝送品質検出部３１２と、変調切換部３１４と、偏差調整部３１６と、偏差再調整部３１８として機能する。
【００４３】
上記スロット連結部３１０は、時分割多重方式におけるフレーム中の複数のスロットを連結して、その連結スロットを一つの携帯端末装置１４０に割り当てる。
【００４４】
上記伝送品質検出部３１２は、携帯端末装置との無線通信におけるフレームデータ全体の伝送品質と、フレームデータ内の異なる領域の伝送品質の差である伝送偏差とを検出する。
【００４５】
かかる伝送品質はフレームエラーレートまたはエラーベクター振幅を基準にして判断してもよい。このフレームエラーレートは、フレーム単位の誤り率が％で示され、許容されるフレームエラーレートは１％程度となる。また、エラーベクター振幅は理想波形と計測波形との測度差が％で示され、許容値は数％とされる。このようにフレームエラーレートやエラーベクター振幅を基準とした場合、数値が高いほど伝送品質は悪く、低いほど伝送品質が良いことになる。従って、後述する伝送品質下限値を下回るとは例えばフレームエラーレートが所定上限値を超えることを示し、伝送品質上限値を超えるとはフレームエラーレートが所定下限値を下回ることを示す。
【００４６】
また、伝送偏差は、連結したタイムスロットの前半部と後半部との伝送品質の差としてもよい。上述したようにタイムスロットを連結してフレームデータが長くなると、伝送偏差が大きくなる場合がある。本実施形態では、フレームデータを前半部と後半部（例えば、連結されたタイムスロットが４つの場合、前後２つのスロット）に分けてその伝送品質の差を伝送偏差として適切に導出する。
【００４７】
上記変調切換部３１４は、伝送品質が、変調方式毎に定められた伝送品質下限値を下回るとより低い変調方式に切り換え、伝送品質上限値を超えるとより高い変調方式に切り換える。
【００４８】
変調方式は、例えば、ＢＰＳＫ（２値位相変調：Ｂｉｎａｒｙ  Ｐｈａｓｅ  Ｓｈｉｆｔ  Ｋｅｙｉｎｇ）、ＱＰＳＫ（４相位相変調：Ｑｕａｄｒａｔｕｒｅ  Ｐｈａｓｅ  Ｓｈｉｆｔ  Ｋｅｙｉｎｇ）、８ＰＳＫ（８相直交振幅変調：８  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、３２ＱＡＭ、６４ＱＡＭ、１２８ＱＡＭ、２５６ＱＡＭであり、伝送品質、特に伝送速度が、ＢＰＳＫ、ＱＰＳＫ、８ＰＳＫ、１６ＱＡＭ、３２ＱＡＭ、６４ＱＡＭ、１２８ＱＡＭ、２５６ＱＡＭの順に高くなる。従って、より低い変調方式への切り換えとは、例えばＱＰＳＫからＢＰＳＫへの切換を示し、より高い変調方式への切り換えとは、例えばＱＰＳＫから８ＰＳＫへの切換を示す。
【００４９】
また、伝送品質下限値は、これ以下に伝送品質が下がると通信環境が厳しくなったと判断され最早現行の変調方式では無線通信を維持できないといった限界値である。伝送品質がかかる伝送品質下限値以下になると、変調方式を１段階（１クラス）下げる。
【００５０】
伝送品質上限値は、さらに変調方式を１段階上げたとしても伝送速度が落ちる可能性が少ない閾値である。よって、伝送品質がかかる伝送品質上限値以上になると、変調方式を１段階上げる。ただし、現行の変調方式で安定していれば強固に変調方式を昇格する必要はない。また、ここでは、変調方式を１段階ずつ切り換えているが、検出される伝送品質に応じて複数段階飛び越して切り換えることも可能である。
【００５１】
上記偏差調整部３１６は、伝送偏差が、変調方式毎に定められた伝送偏差上限値を超えるとフレームデータに同期符号（ＵＷ：Ｕｎｉｑｕｅ  Ｗｏｒｄ）を挿入し、伝送偏差下限値を下回るとフレームデータから同期符号を抜出する。かかる同期符号は、常にＱＰＳＫの変調方式がとられるとし、フレームデータの先頭には固定的に同期符号が付されるものとする。
【００５２】
ここで伝送偏差下限値は、これ以上に伝送偏差が大きくなると、フェージングなどによりスロットの前半部と後半部とで乱れが生じるとみなすことができる値である。前半部と後半部の伝送偏差が大きくなると、偏差調整部３１６は同期符号を挿入して同期を試みる。
【００５３】
また、伝送偏差上限値は、挿入した同期符号を抜出したとしても伝送速度が落ちる可能性が少ない閾値である。従って、偏差調整部３１６は、フレームデータから同期符号を抜き、その分フレームデータのペイロード領域を確保させる。
【００５４】
上述したようにタイムスロットを連結すると、伝送偏差が大きくなる場合がある。かかる伝送偏差の増加は、フレームデータの途中に同期符号を追加挿入してその同期符号以降の同期をとることで改善できるので、偏差調整部３１６が同期符号の挿入を伝送偏差に応じて動的に行うことで、伝送品質の改善もしくは維持および伝送速度の高速化を図ることができる。
【００５５】
このような偏差調整部３１６と上述した変調切換部３１４とを協同させることで、より確実に伝送品質の改善もしくは維持および伝送速度の高速化を図ることができる。また、同一の変調方式内で、伝送品質を調整することが可能となるので、伝送品質が低下した場合においても、変調方式を変更しないで、同期符号の動的挿入のみによって伝送品質を改善することができる。従って、無用な変調方式の切換を削減することが可能となる。
【００５６】
上記同期符号を挿入する位置は、タイムスロット単位の先頭としてもよい。同期符号の挿入箇所をある程度限定することで同期符号の挿入処理を規則的にすることができ、伝送品質の安定した改善、維持を図ることができる。
【００５７】
また、フレームデータには、どのタイムスロットに同期符号が挿入されているかを示す同期情報領域が設けられ、偏差調整部３１６は、同期情報領域を参照して、予め定義された挿入順または抜出順に同期符号を挿入または抜出し、その結果を同期情報領域に反映することができる。
【００５８】
図５は、フレームデータに順次同期符号を配置する処理を説明するための説明図である。フレームデータが生成された時点を示す図５（ａ）を参照すると、フレームデータ４００には４つのタイムスロット１０が連結され、先頭には、デフォルトの同期符号４１０と同期情報領域４１２が付されている。かかる同期符号４１０は、タイムスロットが６２５μｓｅｃであるのに対して約２０μｓｅｃを占有する。
【００５９】
ここで、伝送偏差が伝送偏差上限値を超えると偏差調整部３１６が同期符号を挿入する。同期符号は、フレームデータ全体の伝送品質を均一に保つため均等に配置するのが望ましい。そこで、図５のような４タイムスロット長のフレームデータに同期符号を追加する場合、まず、図５（ｂ）のように３スロット目に挿入する。かかる３スロット目の先頭位置は当該フレームデータ４００のほぼ真ん中に当たるからである。
【００６０】
その後、さらに同期符号を追加する場合、図５（ｃ）のように４スロット目に挿入し、次に、図５（ｄ）のように２スロット目に順位挿入していく。このように、偏差調整部３１６は、どこのタイムスロットに同期符号があるかをフィールドから参照し、予め定義された挿入順に従って次の挿入箇所に同期符号を挿入する。
【００６１】
また、例えば、スロット連結の最大値である７つのタイムスロットの場合、同期符号の追加は、５スロット目、３スロット目、７スロット目、６スロット目、４スロット目、２スロット目の順で行うことができる。かかる同期符号の挿入順は、伝送品質の改善が見込まれる範囲で事前に定義さえできれば、どのような順であってもよい。
【００６２】
また、偏差調整部３１６が同期符号を追加した後に変調切換部３１４が変調方式を切り換えた場合においても、挿入した同期符号はそのままの配置を維持する。これは、切り換えられた１ランク下の変調方式では伝送速度が安定するはずなので、伝送品質が回復すれば後述するように同期符号が抜出され、自動的に同期符号の妥当な挿入数に落ち着くからである。
【００６３】
また、一方で、偏差調整部３１６は、変調切換部３１４が変調方式を切り換えたとき、フレームデータの先頭にある同期符号以外を抜出してもよい。このように変調方式の変化時に同期符号をリセットするかもしくは維持するかは伝送品質を維持する観点で自由に設定することができる。
【００６４】
上記偏差再調整部３１８は、偏差調整部３１６が同期符号を挿入した後、伝送品質検出部３１２に再度伝送偏差を検出させ、伝送偏差が所定閾値以上改善されていなければ、挿入した同期符号を抜出する。
【００６５】
携帯端末装置１４０と基地局１３０との通信環境によっては、同期符号を追加挿入しても伝送偏差が所定閾値以上改善されない場合がある。そのときは、挿入した同期符号を再度抜出することで空いた領域をペイロートに割り当てることができ、フレームデータの情報領域を有効活用させることができる。
【００６６】
また、コンピュータによって、上記基地局１３０として機能するプログラムも提供され得る。
【００６７】
（携帯端末装置１４０）
次に、基地局１３０と無線通信を行う携帯端末装置１４０に関して簡単に説明する。
【００６８】
図６は、携帯端末装置１４０のハードウェア構成を示した機能ブロック図である。携帯端末装置１４０は、上述した携帯電話やＰＨＳの他に、ノート型パーソナルコンピュータ、ＰＤＡ（Ｐｅｒｓｏｎａｌ  Ｄｉｇｉｔａｌ  Ａｓｓｉｓｔａｎｔ）等の携帯可能な様々な電子機器で構成され、構成要素として、端末制御部５１０と、端末メモリ５１２と、表示部５１４と、操作部５１６と、音声入出力部５１８と、端末無線部５２０とを含んでいる。
【００６９】
上記端末制御部５１０は、中央処理装置を含む半導体集積回路により携帯端末装置１４０全体を管理および制御する。また、端末制御部５１０は、端末メモリ５１２のプログラムを用いて、携帯端末装置１４０を利用した通話機能やメール配信機能を遂行する。
【００７０】
上記端末メモリ５１２は、ＲＯＭ、ＲＡＭ、Ｅ２ＰＲＯＭ、不揮発性ＲＡＭ、フラッシュメモリ、ＨＤＤ等で構成され、端末制御部５１０で処理されるプログラムや、各基地局１３０からの所定時間分のデータを記憶する。
【００７１】
上記表示部５１４は、カラーまたはモノクロのディスプレイで構成され、端末メモリ５１２に記憶された、または通信網１２０を介してアプリケーション中継サーバ（図示せず）から提供される、ＷｅｂブラウザやアプリケーションのＧＵＩ（Ｇｒａｐｈｉｃａｌ  Ｕｓｅｒ  Ｉｎｔｅｒｆａｃｅ）を表示することができる。
【００７２】
上記操作部５１６は、キーボード、十字キー、ジョイスティック等のスイッチから構成され、ユーザの操作入力を受け付ける。
【００７３】
上記音声入出力部５１８は、マイクやスピーカから構成され、通話時に入力されたユーザの音声を音声信号に変換し、また、通話相手の音声信号を音声に変えて出力する。また、着信音や操作部５１６による操作音、アラーム音等も出力できる。
【００７４】
上記端末無線部５２０は、携帯電話網における基地局１３０と双方向の無線通信を行う。本実施形態では、時分割多重方式に基づいたタイムスロットを用いて無線通信を遂行する他、タイムスロットが連結されたスロット連結にも対応する。また、フレームデータの同期情報領域４１２を参照し、基地局１３０において同期符号が挿入されているかどうか、および、挿入されていた場合の挿入位置はどこであるかを抽出し、その同期符号に従って、フレームデータのデータ同期を遂行する。
【００７５】
（伝送品質補償方法）
次に、時分割多重方式に基づくタイムスロットを用いて携帯端末装置１４０と無線通信を行う基地局１３０で実行される伝送品質補償方法を説明する。
【００７６】
図７は、伝送品質補償方法の全体的な流れを示したフローチャートである。ここでは、基地局１３０のループ処理の流れが示されている。
【００７７】
まず、基地局のスロット連結部３１０は、フレーム中の複数のスロットを連結して一つの携帯端末装置１４０に割り当てる（Ｓ７００）。そして、伝送品質検出部３１２が携帯端末装置１４０との無線通信におけるフレームデータ全体の伝送品質およびフレームデータ内の伝送偏差を検出する（Ｓ７０２）。
【００７８】
次に、前回実行された処理が同期符号の追加（Ｓ７２２）であったかどうかが判断され（Ｓ７０４）、同期符号の追加であれば今回検出された伝送偏差と前回の伝送偏差とが比較され（Ｓ７０６）、伝送偏差が所定閾値以上改善されていなければ、前回の処理で追加された同期符号を抜出する（Ｓ７０８）。そして、今回の伝送偏差の検出値を次回の前回値として記憶する（Ｓ７１０）。
【００７９】
続いて、変調方式を切り換えるべきかどうかが判断される。具体的には、変調切換部３１４が、変調方式毎に定められた伝送品質下限値を下回っているかどうかが判断され（Ｓ７１２）、下回っていれば変調方式を１段階低い変調方式に切り換えて（Ｓ７１４）、ループ処理に帰還する。伝送品質下限値を下回ってなければ、引き続き伝送品質上限値を超えるかどうかが判断され（Ｓ７１６）、超えていれば変調方式を１段階高い変調方式に切り換えて（Ｓ７１８）、ループ処理に帰還する。
【００８０】
変調方式の切換処理が発生しなかった場合、続いて、同期符号を挿入または抜出するかどうかが判断される。具体的には、偏差調整部３１６が、検出された伝送偏差が変調方式毎に定められた伝送偏差上限値を超えるかどうかが判断され（Ｓ７２０）、超えていればフレームデータの所定位置に同期符号を挿入して（Ｓ７２２）ループ処理に帰還する。伝送偏差上限値を超えていなければ、引き続き伝送偏差下限値を下回っているかどうかが判断され（Ｓ７２４）、下回っていればフレームデータの所定位置に挿入された同期符号を抜出する（Ｓ７２６）。かかる同期符号の抜出は、挿入順として事前に定義された順番の逆の順番に行われる。従って、前回挿入した同期符号から抜出されることとなる。
【００８１】
最後に、携帯端末装置１４０との通信を終了するかどうかが判断され（Ｓ７２８）、終了しなければ伝送品質および伝送偏差の検出（Ｓ７０２）からの処理を繰り返す。
【００８２】
上述した本実施形態の基地局１３０または伝送品質補償方法を用いることで、同期符号の挿入および変調方式の切換を伝送品質に応じて動的に遂行することができ、伝送品質の改善もしくは維持および伝送速度の高速化を図ることが可能となる。
【００８３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８４】
なお、本明細書の伝送品質補償方法における各工程は、必ずしもフローチャートとして記載された順序に沿って時系列に処理する必要はなく、並列的あるいは個別に実行される処理（例えば、並列処理あるいはオブジェクトによる処理）も含むとしても良い。
【産業上の利用可能性】
【００８５】
本発明は、時分割多重方式に基づくタイムスロットを用いて携帯端末装置と無線通信を行う基地局、伝送品質補償方法に利用可能である。
【図面の簡単な説明】
【００８６】
【図１】本実施形態によるスロット連結の構成を説明するためのタイミング図である。
【図２】本実施形態による無線通信システムの概略的な構成を示したブロック図である。
【図３】本実施形態による基地局のハードウェア構成を示した機能ブロック図である。
【図４】本実施形態による基地局の概略的な機能を示した機能ブロック図である。
【図５】本実施形態によるフレームデータに順次同期符号を配置する処理を説明するための説明図である。
【図６】本実施形態による携帯端末装置のハードウェア構成を示した機能ブロック図である。
【図７】本実施形態による伝送品質補償方法の全体的な流れを示したフローチャートである。
【符号の説明】
【００８７】
１０    タイムスロット
１３０  基地局
１４０  携帯端末装置
３１０  スロット連結部
３１２  伝送品質検出部
３１４  変調切換部
３１６  偏差調整部
３１８  偏差再調整部
４１０  同期符号
４１２  同期情報領域
【図１】
2008135889.tif 000003
【図２】
2008135889.tif 000004
【図３】
2008135889.tif 000005
【図４】
2008135889.tif 000006
【図５】
2008135889.tif 000007
【図６】
2008135889.tif 000008
【図７】
2008135889.tif 000009